(57)【特許請求の範囲】
【請求項１】
内枠とこの内枠に支持された椅子と踏み板とからなり、揺動方向に折り畳み自在なブランコ本体と、
４本の脚部とこの脚部の頂部にそれぞれ挿入された４本のジョイントパイプとを有し、前記ブランコ本体を揺動自在に支持するとともに、このブランコ本体と一体となってブランコの揺動方向に折り畳み自在な外枠と
からなる折り畳み式ブランコにおいて、
前記脚部はパイプの上端部を屈曲して略Ｌ型に形成するとともに、その頂部に第１のリベットの直径に対して遊びを有し、揺動方向に貫通する第１のリベット用穴を透設し、
前記ジョイントパイプは、一端部には略平板状のジョイント部を有し、他端部には前記脚部を形成した前記パイプに回動自在に挿入可能な直径を有するパイプ部を有するとともに、揺動方向に貫通する第２のリベット用穴を透設し、
この第２のリベットの周囲は、揺動方向に位置する対をなす脚部の平行度を保持するためのスペーサで包囲し、
前記各ジョイントパイプの前記パイプ部を、前記各脚部の頂部からそれぞれ挿入し、
前記第１のリベット用穴に対して遊びを有する前記第１のリベットにより、前記ブランコ本体の揺動方向に位置する２本の脚部を互いに揺動方向に回動自在となるように離間した状態で連結して２組の対をなす脚部を構成し、
前記第２のリベット用穴に対して遊びを有する第２のリベットにより、２組の前記対をなす脚部の頂部からそれぞれ挿入されている前記４本のジョイントパイプを一まとめにして揺動方向に直交する方向に位置する脚部が互いに揺動方向に直交する方向に回動自在となるように連結するとともに、前記第２のリベットの周囲を包囲する前記スペーサにより、揺動方向に位置する脚部を互いに離間した状態に位置決めし、
ブランコの組み立て・折り畳みの際に、前記第２のリベットを回動軸として２組の対をなす脚部が、揺動方向に直交する方向に互いに回動自在になるとともに、前記第１のリベットの両端をそれぞれ回動支点として揺動方向に位置する対をなす脚部が、揺動方向に互いに回動自在となるように前記外枠を形成したこと
を特徴とする折り畳み式ブランコ。
【請求項２】
揺動方向に直交する方向に位置する各脚部下端部に、それぞれ所定長さ伸縮自在な横脚を取り付けたこと
を特徴とする請求項１に記載の折り畳み式ブランコ。
【請求項３】
揺動方向に直交する方向に位置する各２本の脚部下端部に、所定範囲内で伸縮自在な横脚を取り付けた脚延長部を挿脱自在に設けたこと
を特徴とする請求項１に記載の折り畳み式ブランコ。
【請求項４】
揺動方向に直交する方向に位置する各２本の脚部下端部に、横脚を取り付けた脚延長部を挿脱自在に設けたこと
を特徴とする請求項１に記載の折り畳み式ブランコ。
【請求項５】
揺動方向に直交する方向に位置する各２本の脚部下端部に、横脚を一体的に形成した脚延長部を挿脱自在に設けたこと
を特徴とする請求項１に記載の折り畳み式ブランコ。
【発明の詳細な説明】
【０００１】
この発明は，梱包，運搬時におけるスペ−ス効率が良好で，運搬経費が良好な子供用の折り畳み式ブランコに関するものである。
【０００２】
【従来の技術】
従来，折り畳み式の子供用のブランコ４０は，図１３に示すように，外枠４１とこの外枠４１に揺動自在に支持されているブランコ本体４２とにより構成されており，外枠４１及びブランコ本体４２とは一体となって揺動方向に折畳み自在に形成されている。
【０００３】
外枠４１は，パイプを屈曲して略Ｕ形に形成された一対の脚部４１ａ，４１ａにより構成されており，このＵ形の底部分に対応する脚部４１ａの頂部４１ｂには，互いにブランコ本体４２の揺動方向に回動可能に取り付けられており，Ｕ形の開放端に対応する脚部４１ａの下端部は，末広がりに形成されており，さらに，その下端部両側には，揺動方向と直交する方向に横脚４１ｃが固定されている。
【０００４】
ブランコ本体４２は，内枠４３と椅子４４と踏み板４５とにより構成されている。内枠４３の外形はパイプで略４角柱状に形成されている。そして，この内枠４３の頂部４３ａは，外枠４１の上端部に揺動自在に支持されているとともに，揺動方向に位置する頂部４３ａには，互いに対向する一対の蝶番４６が取り付けられており，さらに，揺動方向に位置する内枠４３の垂直方向側枠４３ｂには，一対の椅子４４が互いに対向して取り付けられており，内枠４３の底部には，踏み板４５となっており，この踏み板４５の揺動方向一端は固定され，他端は垂直方向に摺動自在に取り付けられている。
【０００５】
従って，ブランコ４０を折り畳むには，外枠４１は一対の脚部４１ａの頂部４１ｂを回動軸として折り畳まれ，内枠４３は蝶番４６を支点として外枠４１とともに折り畳まれ，踏み板４５はその他端が内枠４３の下端から側枠４３ｂに沿って上方向に摺動してブランコ４０全体として折り畳まれる。
【０００６】
【発明が解決しようとする問題点】
ブランコ４０は，このように折り畳まれるが，外枠４１を構成する脚部４１ａの下端部は，ブランコ４０を設置した時に，そのブランコの安定性を良くするために揺動方向に直交する方向に末広がりに形成されている。従って，外枠４１の頂部４１ｂから下端部へとその開脚角度はかなり大きく形成されているため，ブランコ４０を折り畳んだ場合，その形状は台形となる。そのため，梱包用の容器の形状は変形形状となり，容器の価格は高くなり，運搬する場合にも積載しにくくそれだけ運搬費用も高くなるという問題がある。
【０００７】
一方，ブランコ４０を矩形の容器に梱包すると，容器自体がかなりかさ張った大きさとなるとともに，容器内部でブランコ４０の安定性が悪くなり，それだけ梱包費用，運搬費用がかさむという問題がある。
【０００８】
【問題を解決するための手段】
請求項１に係る発明は、内枠とこの内枠に支持された椅子と踏み板とからなり、揺動方向に折り畳み自在なブランコ本体と、４本の脚部とこの脚部の頂部にそれぞれ挿入された４本のジョイントパイプとを有し、前記ブランコ本体を揺動自在に支持するとともに、このブランコ本体と一体となってブランコの揺動方向に折り畳み自在な外枠とからなる折り畳み式ブランコにおいて、
脚部はパイプの上端部を屈曲して略Ｌ型に形成するとともに、その頂部に第１のリベットの直径に対して遊びを有し、揺動方向に貫通する第１のリベット用穴を透設し、ジョイントパイプは、一端部には略平板状のジョイント部を有し、他端部には脚部を形成したパイプに回動自在に挿入可能な直径を有するパイプ部を有するとともに、揺動方向に貫通する第２のリベット用穴を透設し、この第２のリベットの周囲は、揺動方向に位置する対をなす脚部の平行度を保持するためのスペーサで包囲し、各ジョイントパイプの前記パイプ部を、各脚部の頂部からそれぞれ挿入し、第１のリベット用穴に対して遊びを有する第１のリベットにより、ブランコ本体の揺動方向に位置する２本の脚部を互いに揺動方向に回動自在となるように離間した状態で連結して２組の対をなす脚部を構成し、第２のリベット用穴に対して遊びを有する第２のリベットにより、２組の対をなす脚部の頂部からそれぞれ挿入されている４本のジョイントパイプを一まとめにして揺動方向に直交する方向に位置する脚部が互いに揺動方向に直交する方向に回動自在となるように連結するとともに、第２のリベットの周囲を包囲するスペーサにより、揺動方向に位置する脚部を互いに離間した状態に位置決めし、ブランコの組み立て・折り畳みの際に、第２のリベットを回動軸として２組の対をなす脚部が、揺動方向に直交する方向に互いに回動自在になるとともに、第１のリベットの両端をそれぞれ回動支点として揺動方向に位置する対をなす脚部が、揺動方向に互いに回動自在となるように外枠を形成したものである。
【０００９】
請求項２に係る発明は、請求項１に係る発明において、揺動方向に直交する方向に位置する各脚部下端部に、それぞれ所定長さ伸縮自在な横脚を取り付けたものである。
【００１０】
請求項３に係る発明は、請求項１に係る発明において、揺動方向に直交する方向に位置する各２本の脚部下端部に、所定範囲内で伸縮自在な横脚を取り付けた脚延長部を挿脱自在に設けたものである。
【００１１】
請求項４に係る発明は、請求項１に係る発明において、揺動方向に直交する方向に位置する各２本の脚部下端部に、横脚を取り付けた脚延長部を挿脱自在に設けたものである。
【００１２】
請求項５に係る発明は、請求項１に係る発明において、揺動方向に直交する方向に位置する各２本の脚部下端部に、横脚を一体的に形成した脚延長部を挿脱自在に設けたものである。
【００１３】
【作用】
ブランコ１を折り畳む場合，２組の対をなす脚部２ａを両側から押圧すると，第２のリベット用穴７は第２のリベット５の直径に対して遊びがあるため，第２のリベット５が回動軸となってジョイント部３ａが回動しつつ上方に盛り上がった状態となる。一方，横脚９は外パイプ９ａの内部に内パイプ９ｂが嵌入されてその開脚角度αは零となる。次いで，揺動方向に位置する２組の対をなす脚部２ａを揺動方向に押圧すると，第１のリベット４の両端部がそれぞれ２本の脚部の回動支点となって対をなす脚部２ａは揺動方向に両方から閉じられて，互いに離間した状態で重ね合わされ，ブランコ１は全体として矩形状になる。
【００１４】
ブランコ１を組み立て，設置する場合には，対をなす脚部２ａを揺動方向に開脚すると，第１のリベット４が回動支点となって揺動方向に位置する脚部２ａは開脚される。次いで，２組の対をなす脚部２ａを揺動方向に直交する方向に開脚すると，第２のリベット５を回動軸としてジョイント部３ａが回動しつつ下方にさがり，頂部２ｂが床面と平行な状態となる。一方，横脚９は伸長して脚部２ａの開脚角度αとなり，安定した状態に設置される。
【００１５】
【発明の実施例】
この発明の第１の実施例を，図１〜図７に基づいて詳細に説明する。
図１はブランコ１を折り畳む状態を示す斜視図，図２はブランコ１を使用可能に設置した状態を示す斜視図，図３は外枠２を形成するジョイントパイプ３のジョイント部３ａを示す要部平面図，図４は図３の要部正面図，図５はジョイント部３ａを有するジョイントパイプ３の要部平面図，図６は図５の要部正面図，図７は第１および第２のリベット４，５の正面図，図８は外枠２の頂部２ｂの要部正面図で，ブランコ１が設置されている時の状態を示す説明図である。図９は図８に示す外枠２の頂部２ｂが回動した状態を示すもので，ブランコ１が折り畳まれた時の状態を示す説明図である。なお，従来と同一のものは同一名称，同一符号を付し，その説明を省略する。
【００１６】
図１〜図２において，外枠２は，ブランコ本体４２を揺動自在に支持するもので，４本の脚部２ａとこの４本の脚部２ａの頂部からそれぞれ挿入される４本のジョイントパイプ３とにより構成されている。ブランコ１の揺動方向に位置する２本の脚部２ａ（対をなす脚部）がその頂部において，第１のリベット４と第１のリベット用穴６とにより，互いに揺動方向（矢印Ａ方向）に回動自在に連結されているとともに，脚部２ａの頂部からそれぞれ挿入されている４本のジョイントパイプ３は，一まとめにして揺動方向に直交する方向（矢印Ｂ方向）に位置する２組の対をなす脚部２ａを第２のリベット５と第２のリベット用穴７とにより，互いに揺動方向に直交する方向に回動自在に連結されて，外枠２が構成されている。
【００１７】
４本の脚部部分２ａは，直線状のパイプが用いられ，このパイプの上端部を屈曲して略Ｌ型に形成されているとともに，その頂部には，第１のリベット４の直径に対して遊びを有し，揺動方向に貫通する第１のリベット用穴６が透設されている。
【００１８】
ジョイントパイプ３は，図５，図６に示すように，一端部には略平板状のジョイント部３ａが形成されているとともに，このジョイント部３ａには，第２のリベット５の直径に対して遊びを有するリベット用穴７が透設されており，他端部には脚部２ａを形成するパイプ内に回動自在に挿入可能な直径を有するパイプ部３ｂが形成されている。
【００１９】
第１および第２リベット４，５は，図７に示すように，それぞれ第１および第２リベット用穴６，７に挿入されるもので，例えば，第１および第２リベット４，５の直径を６ｍｍとすると，第１および第２リベット用穴６，７の直径は，６．５ｍｍ程度である。
【００２０】
図８に示すように，４本のそれぞれジョイントパイプ３のパイプ部３ｂは，それぞれ対応する４本の脚部２ａの頂部からパイプ内部に挿入されている。これら４本の脚部２ａは，外枠２の形状に位置決めされる。
【００２１】
そして，４本の脚部２ａのうち矢印Ａで示す揺動方向に位置する２本の脚部２ａを１組として第１のリベット用穴６を互いに位置決めしつつ，第１のリベット４が揺動方向に回動可能に互いに離間した状態で第１のリベット用穴６に貫通され固定されて対をなす脚部２ａが２組形成される。従って，第１のリベット４の両端部は，対をなす２本の脚部２ａのそれぞれの回動支点となっているとともに，脚部２ａの頂部から挿入されたジョイントパイプ３のパイプ部３ｂの端部に当接してこれのストッパ−としての役割も兼ねている。
【００２２】
さらに，この２組の対をなす脚部２ａは，互いに対向位置するとともに，図３，図４に示すように，そのジョイントパイプ３の各ジョイント部３ａが一まとめにされて４個の第２のリベット用穴７が貫通した状態に位置決めされて，この第２のリベット用穴７に第２のリベット５が挿入固定されて外枠２が構成される。従って，対をなす２組の脚部２ａは，第２のリベット５を回動軸として互いに矢印Ｂで示すように，揺動方向とは直交する方向に回動自在となっている。
【００２３】
８は第２のリベット５の周囲を包囲しているスペーサで、互いに対をなす脚部２ａの平行度を保持させるためのものである。
【００２４】
９は横脚で，外パイプ９ａと内パイプ９ｂとからなる２本の直径の異なる大小のパイプにより所定の範囲内で伸縮自在に形成されているとともに，この横脚９の両端は矢印Ｂ方向に位置する２本の脚部２ａの両下端部にそれぞれ固定されている。１０，１１は横脚９を所定の長さ範囲内で固定するためのねじとナットで，ブランコ１が折り畳まれる際には緩められ，設置される際には，矢印Ｂで示す方向に位置する脚部２ａの下端部における開脚角度αが調整された後，固定される。
【００２５】
１２は外枠２と内枠４３の頂部４３ｂとを回動自在に固定するための第３のリベット，１３は第３のリベット１２が回動自在に貫通する第３のリベット用穴で，外枠２と内枠４３とが連通するように透設されている。
【００２６】
このように構成されているので，ブランコ１を折り畳む場合，まず，ねじ１０を緩め，矢印Ｂで示す方向から対をなす脚部２ａを互いに押圧すると，図９に示すように，第２のリベット用穴７は第２のリベット５の直径に対して遊びがあるため，この第２のリベット５が回動軸となってジョイント部３ａが回動しつつ上方に盛り上がった状態となる。一方，横脚９は，外パイプ９ａの内部に内パイプ９ｂが嵌入され，横脚９の長さが外枠２の頂部２ｂと同一の長さとなって，その開脚角度αは零となる。一方，この時，内枠４３は，未だ折り畳まれていない。
【００２７】
次いで，揺動方向に位置する対をなす脚部２ａを両方から揺動方向に互いに押圧すると，２組の２本の脚部２ａは，第１のリベット４の両端部をそれぞれ回動支点として互いに揺動方向に回動し，互いに離間した状態で重ね合わされ，同時に，内枠４３は第３のリベット１２および蝶番４６とを支点として矢印Ｄで示すように，外枠２とともに折り畳まれる。この時，踏み板４５は，その他端が内枠４３の下端から側枠４３ｂに沿って上方向に摺動してブランコ１全体として折り畳まれ，ブランコ１は全体として矩形形状となる。従って，梱包，運搬に適した形状となる。
【００２８】
ブランコ１を設置する場合には，対をなす脚部２ａの下端部を互いに矢印Ａ方向に開脚した後，矢印Ｂ方向に各脚部２ａを開脚すると，対をなす各脚部２ａは第２のリベット５を回動軸としてジョイント部３ａが回動しつつ下方にさがり，頂部２ｂが床面と平行な状態となる。この状態では，脚部２ａの開脚角度はαとなるから横脚９のねじ１０を固定する。
【００２９】
【発明の実施例２】
図１０はこの発明の他の実施例を示すもので，４本の脚部２０ａの下端部には，この脚部２０ａを形成するパイプ内に挿入可能にそのパイプの直径より小さく形成された挿入端部２１が形成されており，この挿入端部２１にはねじ穴２５が透設されている。一方，２２は脚延長部で，脚部２０ａと同一径のパイプと実施例１で述べたと同様な伸縮自在な横脚９とで略コ字状に形成されており，上端部には，ねじ穴２５に連通するねじ穴２４が透設されている。
【００３０】
この脚延長部２２には，脚部２０ａの下端部に形成されている挿入端部２１が挿脱自在となっている。２３は脚延長部２２と脚部２０ａとを固定するためのねじで，このねじ２３は互いに連通するように設けられているねじ穴２４，２５にねじ込まれて脚部２０ａと脚延長部２２とを固定している。
【００３１】
このように構成されているので，ブランコ１を折り畳んで梱包，運搬する際には，ジョイント部３ａは実施例１で述べたと同様に動作する。一方，脚延長部２２は脚部２０ａから取り外されてブランコ１とともに梱包され運搬される。
【００３２】
ブランコ１を設置する場合には，実施例１で述べたと同様に組み立て，最後に揺動方向に直交する方向（矢印Ｂ方向）に位置する各２本の脚部２０ａの下端に形成されている挿入端部２１に脚延長部２２が挿入され，ねじ２３によりねじ止め固定される。従って，ブランコ１を梱包する容器を小型化することが出来るとともに，梱包，運搬経費を安くすることが出来る。
【００３３】
【発明の実施例３】
図１１はこの発明のさらに他の実施例を示すもので，実施例２と同様に，４本の脚部２０ａの下端部には，この脚部２０ａを形成するパイプの直径より小さく形成した挿入端部２１が形成されている。一方，２６は脚延長部で，脚部２０ａと同一径のパイプで形成されている脚部２０ａの下端部と，この脚部２０ａの下端部が所定の開脚角度αとなるように所定の長さを有する横脚２７とで略コ字状に形成されている。
【００３４】
この脚延長部２６には，実施例２と同様に，脚部２０ａの下端部に形成されている挿入端部２１が挿脱自在となっており，脚延長部２６と脚部２０ａとを固定するためのねじ２３が，互いに連通するねじ穴２４，２５にねじ込まれ両者が固定されている。
【００３５】
このように構成されているので，上記実施例２と同様に，ブランコ１を梱包，運搬する際に，ジョイント部３ａは，実施例１で述べたと同様に動作するとともに，脚延長部２６は，脚部２０ａから外して梱包，運搬することが出来るから，梱包，運搬経費を安くすることが出来る。さらに，ブランコ１を設置する場合には，上記実施例２と同様に，単に脚部２０ａの下端部に脚延長部２６を挿入し，ねじ２３がねじ穴２４，２５にねじ込まれ両者が固定される。
【００３６】
【発明の実施例４】
図１２はこの発明のさらに他の実施例を示すもので，４本の脚部３０ａの下端部は，いずれもその一部分が揺動方向に直交する方向（Ｂ方向）に屈曲されているとともに，この屈曲部分の下端部には，この脚部３０ａを形成しているパイプの直径より小さく形成した挿入端部３１が形成されている。
【００３７】
３２は脚延長部で，脚部３０ａと同一径のパイプで形成されている脚部３０ａの下端部と，この脚部３０ａの下端部が所定の開脚角度αとなるように所定の長さを有する横脚３３部分とが一体的に略コ字状に形成されており，この脚延長部３２には，実施例２，３と同様に，脚部３０ａの下端部に形成されている挿入端部３１が挿脱自在となっており，脚延長部３２と脚部３０ａとを固定するためのねじ２３が，互いに連通するねじ穴２４，２５にねじ込まれて両者が固定されている。
【００３８】
このように構成されているので，上記実施例２，３と同様に，ブランコ１を梱包，運搬する際には，ジョイント部３ａは実施例１で述べたと同様に動作し，脚延長部３２は脚部３０ａから取り外して梱包し，運搬することが出来るので，梱包，運搬経費を安くすることが出来る。さらに，ブランコ１を設置する場合には，単に脚部３０ａを開脚した後に，この脚部３０ａの下端部に脚延長部３２を挿入し，ねじ２３を互いに連通するねじ穴２４，２５にねじ込んで両者が固定される。
【００３９】
【発明の効果】
請求項１に係る発明は、内枠とこの内枠に支持された椅子と踏み板とからなり、揺動方向に折り畳み自在なブランコ本体と、４本の脚部とこの脚部の頂部にそれぞれ挿入された４本のジョイントパイプとを有し、前記ブランコ本体を揺動自在に支持するとともに、このブランコ本体と一体となってブランコの揺動方向に折り畳み自在な外枠とからなる折り畳み式ブランコにおいて、
脚部はパイプの上端部を屈曲して略Ｌ型に形成するとともに、その頂部に第１のリベットの直径に対して遊びを有し、揺動方向に貫通する第１のリベット用穴を透設し、ジョイントパイプは、一端部には略平板状のジョイント部を有し、他端部には脚部を形成したパイプに回動自在に挿入可能な直径を有するパイプ部を有するとともに、揺動方向に貫通する第２のリベット用穴を透設し、この第２のリベットの周囲は、揺動方向に位置する対をなす脚部の平行度を保持するためのスペーサで包囲し、各ジョイントパイプの前記パイプ部を、各脚部の頂部からそれぞれ挿入し、第１のリベット用穴に対して遊びを有する第１のリベットにより、ブランコ本体の揺動方向に位置する２本の脚部を互いに揺動方向に回動自在となるように離間した状態で連結して２組の対をなす脚部を構成し、第２のリベット用穴に対して遊びを有する第２のリベットにより、２組の対をなす脚部の頂部からそれぞれ挿入されている４本のジョイントパイプを一まとめにして揺動方向に直交する方向に位置する脚部が互いに揺動方向に直交する方向に回動自在となるように連結するとともに、第２のリベットの周囲を包囲するスペーサにより、揺動方向に位置する脚部を互いに離間した状態に位置決めし、ブランコの組み立て・折り畳みの際に、第２のリベットを回動軸として２組の対をなす脚部が、揺動方向に直交する方向に互いに回動自在になるとともに、第１のリベットの両端をそれぞれ回動支点として揺動方向に位置する対をなす脚部が、揺動方向に互いに回動自在となるように外枠を形成したので、ブランコの梱包、運搬にかかる経費を大幅に節約することが出来る。さらに、第２のリベットをスペーサで包囲したので、対をなす脚部の平行度が保持され、脚部同士は離間した状態に位置決めすることが出来、脚部が衝撃で湾曲したり、損傷されることはない。
【００４０】
請求項２〜請求項４に係る発明は、いずれも請求項１に係る発明において、揺動方向に直交する方向に位置する各脚部下端部に、それぞれ所定長さ伸縮自在な横脚を取り付けた形状のものや、あるいは揺動方向に直交する方向に位置する各２本の脚部下端部に、所定範囲内で伸縮自在な横脚を取り付けた脚延長部を挿脱自在に設けた形状のものや、あるいは、揺動方向に直交する方向に位置する各２本の脚部下端部に、横脚を取り付けた脚延長部を挿脱自在に設けた形状のものは、ブランコを収納する容器を小型化することが出来、梱包、運搬にかかる経費を大幅に節約することが出来る。
【００４１】
請求項５に係る発明は、請求項１に係る発明において、揺動方向に直交する方向に位置する各２本の脚部下端部に、横脚を一体的に形成した脚延長部を挿脱自在に設けたので、ブランコの組み立て、設置が容易となる。
【図面の簡単な説明】
【図１】この発明の実施例を示すもので，ブランコ１を折り畳む状態を示す斜視図である。
【図２】この発明の実施例を示すもので，ブランコ１を使用可能に設置した状態を示す斜視図である。
【図３】この発明の実施例を示すもので，外枠２を形成するジョイントパイプ３のジョイント部３の要部平面図である。
【図４】この発明の実施例を示すもので，図３の要部正面図である。
【図５】この発明の実施例を示すもので，ジョイント部３を有するジョイントパイプ３の要部平面図である。
【図６】この発明の実施例を示すもので，図５の要部正面図である。
【図７】第１および第２のリベット４，５の正面図である。
【図８】外枠２の頂部２ｂの要部正面図で，ブランコ１が設置されている時の状態を示す説明図である。
【図９】図８に示す外枠２の頂部２ｂが回動した状態を示すもので，ブランコ１が折り畳まれた時の状態を示す説明図である。
【図１０】この発明の他の実施例を示すもので，外枠２の要部斜視図である。
【図１１】この発明のさらに他の実施例を示すもので，脚部の要部斜視図である。
【図１２】この発明のさらに他の実施例を示すもので，脚部の要部斜視図である。
【図１３】従来例を示す斜視図である。
【符号の説明】
１・・・・・ブランコ
２・・・・・外枠
２ａ，２０ａ，３０ａ・・脚部
３・・・・・ジョイントパイプ
３ａ・・・・ジョイントパイプ３のジョイント部
４・・・・・第１のリベット
５・・・・・第２のリベット
６・・・・・第１のリベット用穴
７・・・・・第２のリベット用穴
９，２７，３３・・・・・横脚
２１，３１・・・・・・・挿入端部
２２，２６，３２・・・・脚延長部
４２・・・・ブランコ本体
４３・・・・内枠
４４・・・・椅子
４５・・・・踏み板
【図１】
0003696658.tif 000002
【図２】
0003696658.tif 000003
【図３】
0003696658.tif 000004
【図４】
0003696658.tif 000005
【図５】
0003696658.tif 000006
【図６】
0003696658.tif 000007
【図７】
0003696658.tif 000008
【図８】
0003696658.tif 000009
【図９】
0003696658.tif 000010
【図１０】
0003696658.tif 000011
【図１１】
0003696658.tif 000012
【図１２】
0003696658.tif 000013
【図１３】
0003696658.tif 000014